(57)【特許請求の範囲】
【請求項１】
コンテンツを入力する入力手段と、
前記入力手段によって入力されたコンテンツのメタデータを取得するメタデータ取得手段と、
ユーザによる投稿テキストが蓄積された投稿サーバから、前記メタデータ取得手段によって取得されたメタデータに関連する投稿テキストを取得する投稿テキスト取得手段と、
ネットワーク上のコンテンツを検索可能な検索サーバから、前記投稿テキスト取得手段によって取得された投稿テキストに関連する関連コンテンツを取得する関連コンテンツ取得手段と、
前記関連コンテンツ取得手段によって取得された関連コンテンツを出力する出力手段と、
を備え、
投稿サーバは、ユーザの行動予定内容を蓄積し、
前記投稿テキスト取得手段は、投稿サーバから、前記メタデータ取得手段によって取得されたメタデータに関連する行動予定内容を取得し、
前記関連コンテンツ取得手段は、検索サーバから、前記投稿テキスト取得手段によって取得された行動予定内容に関連する関連コンテンツを取得する、
ことを特徴とする関連コンテンツ検索装置。
【請求項２】
前記出力手段は、関連コンテンツを出力すると共に、当該関連コンテンツの関連元である投稿テキストを出力する、ことを特徴とする請求項１に記載の関連コンテンツ検索装置。
【請求項３】
前記関連コンテンツ取得手段は、前記投稿テキスト取得手段によって取得された投稿テキストに基づいて検索キーワードを生成し、生成した検索キーワードを用いて検索を行うことで検索サーバから関連コンテンツを取得する、ことを特徴とする請求項１又は２に記載の関連コンテンツ検索装置。
【請求項４】
前記入力手段は、画像を入力し、
前記メタデータ取得手段は、前記入力手段によって入力された画像のメタデータである撮影日時を取得し、
前記投稿テキスト取得手段は、投稿サーバから、前記メタデータ取得手段によって取得された撮影日時に関連する行動予定内容を取得する、請求項１〜３の何れか一項に記載の関連コンテンツ検索装置。
【請求項５】
関連コンテンツ検索装置による関連コンテンツ検索方法であって、
関連コンテンツ検索装置の入力手段が、コンテンツを入力する入力ステップと、
関連コンテンツ検索装置のメタデータ取得手段が、前記入力ステップにおいて入力されたコンテンツのメタデータを取得するメタデータ取得ステップと、
関連コンテンツ検索装置の投稿テキスト取得手段が、ユーザによる投稿テキストが蓄積された投稿サーバから、前記メタデータ取得ステップにおいて取得されたメタデータに関連する投稿テキストを取得する投稿テキスト取得ステップと、
関連コンテンツ検索装置の関連コンテンツ取得手段が、ネットワーク上のコンテンツを検索可能な検索サーバから、前記投稿テキスト取得ステップにおいて取得された投稿テキストに関連する関連コンテンツを取得する関連コンテンツ取得ステップと、
関連コンテンツ検索装置の出力手段が、前記関連コンテンツ取得ステップにおいて取得された関連コンテンツを出力する出力ステップと、
を含み、
投稿サーバは、ユーザの行動予定内容を蓄積し、
前記投稿テキスト取得ステップは、投稿サーバから、前記メタデータ取得ステップにおいて取得されたメタデータに関連する行動予定内容を取得し、
前記関連コンテンツ取得ステップは、検索サーバから、前記投稿テキスト取得ステップにおいて取得された行動予定内容に関連する関連コンテンツを取得する、
ことを特徴とする関連コンテンツ検索方法。
【発明の詳細な説明】
【技術分野】
【０００１】
本発明は、入力されたコンテンツの関連コンテンツを検索する関連コンテンツ検索装置及び関連コンテンツ検索方法に関するものである。
【背景技術】
【０００２】
従来、関連画像の検索を行う際に検索キーワードが用いられていた。例えば、特許文献１に記載の画像検索装置では、画像データをキーワードで容易に検索することができるように、画像データにキーワードを付与する技術が開示されている。
【先行技術文献】
【特許文献】
【０００３】
【特許文献１】特開２００５−３５２７８２号公報
【発明の概要】
【発明が解決しようとする課題】
【０００４】
しかしながら、検索キーワードを用いて関連画像の検索を行う場合、検索キーワードに関連する画像しか検索することができず、多様な関連画像の検索を行うことができなかった。
【０００５】
そこで、本発明は、かかる課題に鑑みて為されたものであり、多様な関連コンテンツを検索することができる関連コンテンツ検索装置及び関連コンテンツ検索方法を提供することを目的とする。
【課題を解決するための手段】
【０００６】
上記課題を解決するため、本発明の関連コンテンツ検索装置は、コンテンツを入力する入力手段と、入力手段によって入力されたコンテンツのメタデータを取得するメタデータ取得手段と、ユーザによる投稿テキストが蓄積された投稿サーバから、メタデータ取得手段によって取得されたメタデータに関連する投稿テキストを取得する投稿テキスト取得手段と、ネットワーク上のコンテンツを検索可能な検索サーバから、投稿テキスト取得手段によって取得された投稿テキストに関連する関連コンテンツを取得する関連コンテンツ取得手段と、関連コンテンツ取得手段によって取得された関連コンテンツを出力する出力手段と、を備え、投稿サーバは、ユーザの行動予定内容を蓄積し、投稿テキスト取得手段は、投稿サーバから、メタデータ取得手段によって取得されたメタデータに関連する行動予定内容を取得し、関連コンテンツ取得手段は、検索サーバから、投稿テキスト取得手段によって取得された行動予定内容に関連する関連コンテンツを取得する。
【０００７】
また、本発明の関連コンテンツ検索方法は、関連コンテンツ検索装置による関連コンテンツ検索方法であって、関連コンテンツ検索装置の入力手段が、コンテンツを入力する入力ステップと、関連コンテンツ検索装置のメタデータ取得手段が、入力ステップにおいて入力されたコンテンツのメタデータを取得するメタデータ取得ステップと、関連コンテンツ検索装置の投稿テキスト取得手段が、ユーザによる投稿テキストが蓄積された投稿サーバから、メタデータ取得ステップにおいて取得されたメタデータに関連する投稿テキストを取得する投稿テキスト取得ステップと、関連コンテンツ検索装置の関連コンテンツ取得手段が、ネットワーク上のコンテンツを検索可能な検索サーバから、投稿テキスト取得ステップにおいて取得された投稿テキストに関連する関連コンテンツを取得する関連コンテンツ取得ステップと、関連コンテンツ検索装置の出力手段が、関連コンテンツ取得ステップにおいて取得された関連コンテンツを出力する出力ステップと、を含み、投稿サーバは、ユーザの行動予定内容を蓄積し、投稿テキスト取得ステップは、投稿サーバから、メタデータ取得ステップにおいて取得されたメタデータに関連する行動予定内容を取得し、関連コンテンツ取得ステップは、検索サーバから、投稿テキスト取得ステップにおいて取得された行動予定内容に関連する関連コンテンツを取得する。
【０００８】
このような関連コンテンツ検索装置及び関連コンテンツ検索方法によれば、まず、入力手段により、コンテンツが入力される。そして、メタデータ取得手段により、入力されたコンテンツのメタデータが取得される。そして、投稿テキスト取得手段により、ユーザによる投稿テキストが蓄積された投稿サーバから、取得されたメタデータに関連する投稿テキストが取得される。そして、関連コンテンツ取得手段により、ネットワーク上のコンテンツを検索可能な検索サーバから、取得された投稿テキストに関連する関連コンテンツが取得される。そして、出力手段により、取得された関連コンテンツが出力される。かかる構成を採れば、入力されたコンテンツの関連コンテンツが、入力されたコンテンツに関連する投稿サーバの投稿テキストに基づいて取得及び出力されるため、投稿テキストに基づく多様な関連コンテンツを検索することができる。また、メタデータを利用することで、テキストデータ等の検索キーワードを含まない画像等の様々なコンテンツに対しても関連コンテンツを検索することができる。
【０００９】
また、本発明の関連コンテンツ検索装置において、出力手段は、関連コンテンツを出力すると共に、当該関連コンテンツの関連元である投稿テキストを出力する、ことが好ましい。かかる構成を採れば、例えば、ユーザは、関連コンテンツと共に当該関連コンテンツの関連元である投稿テキストを閲覧することができるため、関連コンテンツに関する詳細な情報をさらに得ることができ、ユーザの利便性が向上する。
【００１０】
また、本発明の関連コンテンツ検索装置において、関連コンテンツ取得手段は、投稿テキスト取得手段によって取得された投稿テキストに基づいて検索キーワードを生成し、生成した検索キーワードを用いて検索を行うことで検索サーバから関連コンテンツを取得する、ことが好ましい。かかる構成を採れば、検索キーワードを用いてコンテンツの検索が可能な一般的な検索機能を検索サーバに用意することで、関連コンテンツの検索を実現することができるため、専用の検索機能を用意する必要がなくなり、低コストで関連コンテンツを検索することができる。また、本発明の関連コンテンツ検索装置において、入力手段は、画像を入力し、メタデータ取得手段は、入力手段によって入力された画像のメタデータである撮影日時を取得し、投稿テキスト取得手段は、投稿サーバから、メタデータ取得手段によって取得された撮影日時に関連する行動予定内容を取得する、ことが好ましい。
【発明の効果】
【００１１】
本発明によれば、多様な関連コンテンツを検索することができる。
【図面の簡単な説明】
【００１２】
【図１】本発明の実施形態に係る関連コンテンツ検索システムの概要図及び関連コンテンツ検索装置の機能ブロック図である。
【図２】本発明の実施形態に係る関連コンテンツ検索装置のハードウェア構成を示す図である。
【図３】本発明の実施形態に係る関連コンテンツ検索システムで実行される関連コンテンツ検索方法の処理を示すシーケンス図である。
【図４】本発明の実施形態に係る端末の画像入力時の画面例を示す図である。
【図５】本発明の実施形態に係る端末の関連画像出力時の画面例を示す図である。
【発明を実施するための形態】
【００１３】
以下、図面とともに本発明による関連コンテンツ検索装置及び関連コンテンツ検索方法の好適な実施形態について詳細に説明する。なお、図面の説明においては同一要素には同一符号を付し、重複する説明を省略する。
【００１４】
［関連コンテンツ検索システム４の構成］
まず、関連コンテンツ検索システム４の構成について説明する。図１は、本実施形態に係る関連コンテンツ検索装置１、端末２及びネットワーク装置３を含む関連コンテンツ検索システム４の概要図である。図１に示す関連コンテンツ検索装置１、端末２、及びネットワーク装置３は、互いにインターネットや電話回線網等のネットワークで接続され、互いに通信可能である。
【００１５】
関連コンテンツ検索装置１は、入力されたコンテンツの関連コンテンツを検索する装置であり、構成の詳細については後述する。なお、本実施形態における「コンテンツ」とは、テキスト、画像（写真）、音楽、動画等の一般的なコンテンツを示す。
【００１６】
端末２は、スマートフォン等の携帯端末である。端末２のユーザが、端末２を介して関連コンテンツ検索装置１に対して関連コンテンツの検索を要求し、端末２の画面にて検索結果を閲覧する。なお、端末２は携帯端末に限られず、ＰＣ（Personal  Computer）等であってもよい。また、図１では１台の端末２が示されているが、複数台あってもよい。
【００１７】
ネットワーク装置３は、図１に示すように、検索サーバ３０及び投稿サーバ３１を含む。
【００１８】
検索サーバ３０は、端末２が利用する通信ネットワークを管理・運営する事業者が管理するサーバである。検索サーバ３０は、端末２のユーザが管理するコンテンツを保存する。検索サーバ３０は、関連コンテンツ検索装置１又は端末２からコンテンツの取得要求や検索要求があれば、保存された当該コンテンツを返信する。また、検索サーバ３０は、関連コンテンツ検索装置１又は端末２からコンテンツの保存要求があれば、当該コンテンツを保存する。なお、検索サーバ３０は、通信ネットワークを管理・運営する事業者が管理するサーバに限られず、端末２のユーザが管理するコンテンツを管理する一般的なサーバであってもよい。
【００１９】
投稿サーバ３１は、ユーザによる投稿テキストが蓄積されたサーバである。投稿サーバ３１は、例えば、ユーザの行動予定内容と日時を含むスケジュール情報を管理するスケジュールサーバ、ユーザのブログやコメントや画像等のコンテンツを管理するＳＮＳ（Social  Networking  Service）サーバ、「つぶやき」と呼ばれる短文を投稿することが可能な短文投稿サーバ、掲示板サーバ、ブログサーバ、動画共有サーバ等、ユーザ生成コンテンツ（ＵＧＣ：User  Generated  Content）が蓄積されたサーバである。図１に示す投稿サーバ３１は１台であるが、複数台あってもよい。本実施形態における投稿サーバ３１は、上述のスケジュールサーバやＳＮＳサーバ等の複数台のサーバを含んでおり、それらを総称して「投稿サーバ３１」と呼ぶ。
【００２０】
［関連コンテンツ検索装置１の構成］
続いて、関連コンテンツ検索装置１の構成について説明する。図１にて、更に、本実施形態に係る関連コンテンツ検索装置１の構成を示す機能ブロック図を示す。図１に示す通り、関連コンテンツ検索装置１は、入力部１０（入力手段）、メタデータ取得部１１（メタデータ取得手段）、投稿テキスト取得部１２（投稿テキスト取得手段）、関連コンテンツ取得部１３（関連コンテンツ取得手段）、及び出力部１４（出力手段）を含んで構成される。
【００２１】
関連コンテンツ検索装置１は、ＣＰＵ等のハードウェアから構成されているものである。図２は、関連コンテンツ検索装置１のハードウェア構成の一例を示す図である。図１に示される関連コンテンツ検索装置１は、物理的には、図２に示すように、ＣＰＵ１００、主記憶装置であるＲＡＭ１０１及びＲＯＭ１０２、テンキーやディスプレイなどの入出力装置１０３、通信モジュール１０４、及び補助記憶装置１０５などを含むコンピュータシステムとして構成されている。
【００２２】
図１に示す関連コンテンツ検索装置１の各機能ブロックの機能は、図２に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００２３】
以下、図１に示す関連コンテンツ検索装置１の各機能ブロックを説明する。
【００２４】
入力部１０は、コンテンツを入力する。具体的には、入力部１０は、端末２から、関連コンテンツを検索するためのコンテンツ、又は当該コンテンツの識別情報を入力する。
【００２５】
メタデータ取得部１１は、入力部１０によって入力されたコンテンツのメタデータを取得する。コンテンツのメタデータとは、コンテンツに関連する付加的なデータであり、コンテンツのデータ内に埋め込まれている。例えば、画像のメタデータとしては、タグ（ユーザが付与した当該画像に関する情報）、撮影日時、格納先フォルダ名、画像投稿先のＳＮＳサービス名、ＳＮＳへの投稿時の投稿メッセージＩＤ等が挙げられる。
【００２６】
例えば、メタデータ取得部１１は、入力部１０によって画像が入力されると、画像データ内に埋め込まれているメタデータを取得する。また、メタデータ取得部１１は、入力部１０によって画像ＩＤが入力されると、画像ＩＤに対応する画像を検索サーバ３０等から取得し、取得した画像の画像データ内に埋め込まれているメタデータを取得する。
【００２７】
投稿テキスト取得部１２は、投稿サーバ３１から、メタデータ取得部１１によって取得されたメタデータに関連する投稿テキストを取得する。具体的には、投稿テキスト取得部１２は、メタデータ取得部１１によって取得されたメタデータを検索キーワードとして、投稿サーバ３１に対して検索を行い、検索結果として関連する投稿テキストを取得する。ここで、投稿テキストとは、例えば、スケジュールサーバにおけるユーザの行動予定内容や日時や位置情報、ＳＮＳサーバにおけるユーザの投稿内容や投稿コメントや投稿日時や位置情報、短文投稿サーバにおける投稿短文、掲示板サーバにおける投稿コメント、ブログサーバにおける投稿内容や投稿コメントや投稿日時、動画共有サーバにおける投稿コメントなどが挙げられる。
【００２８】
関連コンテンツ取得部１３は、検索サーバ３０から、投稿テキスト取得部１２によって取得された投稿テキストに関連する関連コンテンツを取得する。具体的には、関連コンテンツ取得部１３は、投稿テキスト取得部１２によって取得された投稿テキストに基づいて検索キーワードを生成し、生成した検索キーワードを用いて検索を行うことで検索サーバから関連コンテンツを取得する。関連コンテンツ取得部１３は、投稿テキストに基づいて検索キーワードを生成する際に、形態素解析を行って単語を抽出してもよい。ここで、単語は、例えば、名詞（一般名詞、固有名詞、サ変接続、形容動詞語幹）、動詞（自立）、形容詞（自立）及び感動詞である。なお、投稿テキストに基づいて検索キーワードを生成する処理は、検索サーバ３０にて行われてもよい。その場合、関連コンテンツ取得部１３は、投稿テキストを検索サーバ３０に送信し、検索サーバ３０から検索結果である関連コンテンツを取得する。
【００２９】
関連コンテンツ取得部１３は、検索サーバ３０から、メタデータ取得部１１によって取得されたメタデータに関連するコンテンツを関連コンテンツとして取得してもよい。また、関連コンテンツ取得部１３は、関連コンテンツを検索サーバ３０から取得すると説明したが、それに限るものではない。例えば、関連コンテンツ取得部１３は、検索キーワードを用いてＷＷＷ（World  Wide  Web）等のネットワーク上のコンテンツを検索する一般的な検索サーバから、関連コンテンツを取得してもよい。
【００３０】
出力部１４は、関連コンテンツ取得部１３によって取得された関連コンテンツを出力する。具体的には、出力部１４は、関連コンテンツ又は関連コンテンツの識別情報を端末２に出力する。なお、出力部１４は、他のサーバや関連コンテンツ検索装置１の入出力装置１０３に対して出力してもよい。また、出力部１４は、関連コンテンツを出力すると共に、当該関連コンテンツの関連元である投稿テキストを出力してもよい。
【００３１】
出力部１４は、関連コンテンツ取得部１３によって取得された関連コンテンツを出力する際に、取得された関連コンテンツのうち出力する関連コンテンツを特定し、特定した関連コンテンツのみを出力してもよい。また、出力部１４は、関連コンテンツを出力する際に、順序付き又はランダム順で関連コンテンツを出力してもよい。
【００３２】
［関連コンテンツ検索装置１の実施例］
続いて、図３に示すシーケンス図を用いて、端末２を用いた関連画像の検索の実施例を説明すると共に、本実施形態に係る関連コンテンツ検索装置１における関連コンテンツ検索方法の処理について説明する。
【００３３】
まず、端末２により、関連画像を検索する画像ＩＤが関連コンテンツ検索装置１に送信される（Ｓ１）。図４は、端末２の画像入力時の画面例を示す図である。図４に示す画面例では、端末２において、画像フォルダ内に保存している複数の画像をサムネイル表示で表示している画面例を示す。端末２のユーザは、図４に示す画面例において、関連画像を検索したい画像を選択する。そして、端末２は、選択された画像の画像ＩＤを関連コンテンツ検索装置１に送信する。
【００３４】
次に、入力部１０により、Ｓ１にて送信された画像ＩＤが入力される（入力ステップ）。次に、メタデータ取得部１１により、入力された画像ＩＤが検索サーバ３０に送信され（Ｓ２）、検索サーバ３０から画像ＩＤに対応した画像が受信され（Ｓ３）、画像のメタデータが取得される（Ｓ４、メタデータ取得ステップ）。
【００３５】
次に、投稿テキスト取得部１２により、Ｓ４にて取得されたメタデータを検索キーワードとして、投稿サーバ３１に対してスケジュール情報の検索要求が行われ（Ｓ５）、投稿サーバ３１にてスケジュール情報の検索が行われ（Ｓ６）、検索結果であるスケジュール情報が投稿テキスト取得部１２により取得される（Ｓ７、投稿テキスト取得ステップ）。Ｓ５〜Ｓ７において、例えば、投稿テキスト取得部１２は、画像のメタデータのうち、撮影日時を検索キーワードとしてスケジュールサーバから撮影時の行動予定内容を取得する。
【００３６】
次に、投稿テキスト取得部１２により、Ｓ４にて取得されたメタデータを検索キーワードとして、投稿サーバ３１に対してＳＮＳ投稿情報の検索要求が行われ（Ｓ８）、投稿サーバ３１にてＳＮＳ投稿情報の検索が行われ（Ｓ９）、検索結果であるＳＮＳ投稿情報が投稿テキスト取得部１２により取得される（Ｓ１０、投稿テキスト取得ステップ）。Ｓ８〜Ｓ１０において、例えば、投稿テキスト取得部１２は、画像のメタデータのうち、画像投稿先のＳＮＳサービス名を検索キーワードとして、画像投稿先のＳＮＳサービス名が示すＳＮＳサーバからユーザの投稿内容や投稿コメントを取得する。
【００３７】
次に、関連コンテンツ取得部１３により、Ｓ７及びＳ１０にて取得されたスケジュール情報及びＳＮＳ投稿情報に基づく検索キーワードを用いて、検索サーバ３０に対して関連画像の検索要求が行われ（Ｓ１１）、検索サーバ３０にて関連画像の検索が行われ（Ｓ１２）、検索結果である関連画像が関連コンテンツ取得部１３により取得される（Ｓ１３、関連コンテンツ取得ステップ）。Ｓ１１〜Ｓ１３において、例えば、関連コンテンツ取得部１３は、Ｓ７にて取得された撮影時の行動予定内容に含まれる単語、及びＳ１０にて取得されたユーザの投稿内容や投稿コメントに含まれる単語を検索キーワードとして、検索サーバ３０から関連画像を取得する。
【００３８】
次に、関連コンテンツ取得部１３により、Ｓ４にて取得されたメタデータに含まれるタグを検索キーワードとして、検索サーバ３０に対して画像の検索要求が行われ（Ｓ１４）、検索サーバ３０にて画像の検索が行われ（Ｓ１５）、検索結果である画像の画像ＩＤが関連コンテンツ取得部１３により取得される（Ｓ１６）。
【００３９】
次に、出力部１４により、Ｓ１３及びＳ１６にて取得された画像のうち、表示する画像が特定される（Ｓ１７）。次に、出力部１４により、Ｓ１７にて特定された画像のうちＳ１３にて取得された関連画像について、検索サーバ３０に対して保存要求が行われ（Ｓ１８）、検索サーバ３０にて当該関連画像が保存される（Ｓ１９）。次に、出力部１４により、Ｓ１７にて特定された画像の画像ＩＤリストと共に、Ｓ７にて取得された撮影時の行動予定内容及びＳ１０にて取得されたユーザの投稿内容が端末２に送信される（Ｓ２０、出力ステップ）。なお、出力部１４は、Ｓ１７にて、特定した画像を順序付きで並べ、Ｓ２０にて、順序付き画像ＩＤリストを送信してもよい。
【００４０】
次に、端末２により、Ｓ２０にて送信された画像ＩＤリストが検索サーバ３０に送信され、検索サーバ３０より対応する画像が取得される（Ｓ２２）。そして、端末２により、Ｓ２２にて取得された画像と共に、Ｓ２０にて送信された撮影時の行動予定内容及びユーザの投稿内容が表示される（Ｓ２３）。
【００４１】
図５は、端末２の関連画像出力時の画面例を示す図である。図５に示す画面例において、領域Ａでは、Ｓ２２にて取得された画像のうち一部の画像がサムネイル表示で横並びに一覧で表示される。領域Ａにおいてユーザがタッチパネル上を左右方向にフリップすることで、画像がスクロールし、Ｓ２２にて取得された画像のうち他の画像が領域Ａに表示される。そして、ユーザが領域Ａに表示された画像のうち一つの画像を選択すると、選択された画像が領域Ｂに大きく表示される。また、領域Ｂに画像が表示されると同時に、当該画像に関連する投稿テキストが領域Ｃ及びＤに表示される。具体的には、図５において、領域Ｃでは、Ｓ２０にて送信された、ＳＮＳサーバにおけるユーザの投稿内容が表示され、領域Ｄでは、Ｓ２０にて送信された、スケジュールサーバにおける撮影時の行動予定内容が表示されている。
【００４２】
なお、Ｓ５〜７及びＳ８〜１０は、Ｓ４より後、Ｓ１１より前の間であればいつ実施してもよいし、並行して実行してもよい。また、Ｓ１４〜Ｓ１６は、Ｓ４より後、Ｓ１７より前の間であればいつ実施してもよい。
【００４３】
［関連コンテンツ検索装置１の作用効果］
次に、本実施形態のように構成された関連コンテンツ検索装置１の作用効果について説明する。
【００４４】
本実施形態の関連コンテンツ検索装置１によれば、まず、入力部１０により、コンテンツが入力される。そして、メタデータ取得部１１により、入力されたコンテンツのメタデータが取得される。そして、投稿テキスト取得部１２により、ユーザによる投稿テキストが蓄積された投稿サーバ３１から、取得されたメタデータに関連する投稿テキストが取得される。そして、関連コンテンツ取得部１３により、ネットワーク装置３上のコンテンツを検索可能な検索サーバ３０から、取得された投稿テキストに関連する関連コンテンツが取得される。そして、出力部１４により、取得された関連コンテンツが出力される。かかる構成を採れば、入力されたコンテンツの関連コンテンツが、入力されたコンテンツに関連する投稿サーバ３１の投稿テキストに基づいて取得及び出力されるため、投稿テキストに基づく多様な関連コンテンツを検索することができる。また、メタデータを利用することで、テキストデータ等の検索キーワードを含まない画像等の様々なコンテンツに対しても関連コンテンツを検索することができる。
【００４５】
また、本実施形態の関連コンテンツ検索装置１において、出力部１４は、関連コンテンツを出力すると共に、当該関連コンテンツの関連元である投稿テキストを出力する、ことが好ましい。かかる構成を採れば、例えば、ユーザは、関連コンテンツと共に当該関連コンテンツの関連元である投稿テキストを閲覧することができるため、関連コンテンツに関する詳細な情報をさらに得ることができ、ユーザの利便性が向上する。
【００４６】
また、本実施形態の関連コンテンツ検索装置１において、関連コンテンツ取得部１３は、投稿テキスト取得部１２によって取得された投稿テキストに基づいて検索キーワードを生成し、生成した検索キーワードを用いて検索を行うことで検索サーバ３０から関連コンテンツを取得する、ことが好ましい。かかる構成を採れば、検索キーワードを用いてコンテンツの検索が可能な一般的な検索機能を検索サーバ３０に用意することで、関連コンテンツの検索を実現することができるため、専用の検索機能を用意する必要がなくなり、低コストで関連コンテンツを検索することができる。
【００４７】
以上の通り、本実施形態の関連コンテンツ検索装置１は、画像のみに限らず、様々なコンテンツ全般に適用可能な汎用的な検索装置であり、検索キーワードを含まないコンテンツからも関連コンテンツを検索することができる。関連コンテンツ検索装置１により、ユーザが潜在的に求めている情報を検索することができる。
【符号の説明】
【００４８】
１…関連コンテンツ検索装置、２…端末、３…ネットワーク、４…関連コンテンツ検索システム、１０…入力部、１１…メタデータ取得部、１２…投稿テキスト取得部、１３…関連コンテンツ取得部、１４…出力部、３０…検索サーバ、３１…投稿サーバ。
【図１】
0005416253.tif 000002
【図２】
0005416253.tif 000003
【図３】
0005416253.tif 000004
【図４】
0005416253.tif 000005
【図５】
0005416253.tif 000006